(57)【要約】【課題】使用者の所望するオリジナルメロディを確実に作成できる携帯電話機を提供する。【解決手段】オリジナルメロディの作成中、入力部のうちの所望する音入力キーの入力操作（ステップ＃３５）の都度、その音入力キーのデータ、及びそれまでに入力されてメロディ記憶部に確定記憶されたデータ列、からなる中途のメロディが、スピーカから発せられる（ステップ＃４５）ようになっている。これにより、使用者は途中段階のオリジナルメロディを聞き入れて評価しながら作成が行え、完成したオリジナルメロディは、使用者の所望するメロディと確実に合致するものとなる。【選択図】      図３
2004166095.tif 000002
【特許請求の範囲】
【請求項１】
着信音として用いるオリジナルメロディの作成が可能な携帯電話機において、
前記オリジナルメロディの基となる個々の音符又は休符のデータを順に入力する入力部と、
この入力部で入力された前記データを順に記憶する記憶部と、
前記入力部での入力毎に、既に前記記憶部に記憶されている前記データとともに新たに入力された前記データに基づくメロディを、出力する出力手段と、
を備えたことを特徴とする携帯電話機。
【請求項２】
着信音として用いるオリジナルメロディの作成が可能な携帯電話機において、
前記オリジナルメロディの基となる個々の音符又は休符のデータを順に入力する入力部と、
この入力部で入力された前記データを順に記憶する記憶部と、
この記憶部に記憶されている前記データのうちの開始対象を設定する設定手段と、
前記入力部での入力毎に、既に前記記憶部に記憶され前記設定手段で設定されている開始対象以降の前記データとともに新たに入力された前記データに基づくメロディを、出力する出力手段と、
を備えたことを特徴とする携帯電話機。
【請求項３】
前記入力部で入力される前記データの個々に対応の記号を、表示する表示部を備えたことを特徴とする請求項１又は２に記載の携帯電話機。
【発明の詳細な説明】
【０００１】
【発明の属する技術分野】
本発明は、携帯電話機に関し、特に、電子メールの着信音や通話の呼出音（以下、「着信音」と記すことがある）として用いるオリジナルメロディの作成が可能な携帯電話機に関する。
【０００２】
【従来の技術】
従来、携帯電話機の着信音としては、ベル音のような内蔵の単純音が一般的であったが、携帯電話機の普及につれて使用者が飛躍的に増えたことから、単純音では他人の携帯電話機の着信音と区別がつかない、例えば、混み合っている場所では、自己の携帯電話機が鳴動（着信音が鳴っている状態）しているのか、或いは他人の携帯電話機が鳴動しているのか、直ぐにわからないという問題が生じていた。
【０００３】
近年では、主にこのような問題の解消を目的として、着信音のバリエーションを増すべく、先ずは流行の音楽等のメロディが内蔵されて着信音として用いられるようになり、更に使用者によっては、自らが独自に作成したメロディ（以下、「オリジナルメロディ」と記すことがある）を着信音として用いるようになってきた。
【０００４】
このようなオリジナルメロディを作成する技術については、従来は、音符や休符のデータが割り当てられたキーを順次押下して入力することで、そのデータが順にメモリに記憶されていき、これらのデータ列がオリジナルメロディとして扱われるようになっている。ここで、オリジナルメロディの作成中、所望する音が正しく入力されるか否かを判断できるように、キーの押下とともに、スピーカからそのキーの音を発するようにしたものがある。また、オリジナルメロディ作成中の操作性の向上を目的として、キーの押下時間に応じて音符や休符の長さの種類を表示部に表示させ、所望の種類を選択するようにしたものもある（例えば、特許文献１参照）。
【０００５】
【特許文献１】
特開２００１−１９５０６６号公報（第３−５頁、第４−６図）
【０００６】
【発明が解決しようとする課題】
しかし、上記の従来技術では、全ての入力操作が完了しないことには完成したオリジナルメロディ全体の評価が行えないため、結果として使用者の期待するようなメロディとはならない場合が多々あった。
【０００７】
そこで、本発明は、上記の問題に鑑みてなされたものであり、使用者の所望するオリジナルメロディを確実に作成できる携帯電話機を提供することを目的とするものである。
【０００８】
【課題を解決するための手段】
上記目的を達成するため、本発明による携帯電話機は、着信音として用いるオリジナルメロディの作成が可能な携帯電話機において、前記オリジナルメロディの基となる個々の音符又は休符のデータを順に入力する入力部と、この入力部で入力された前記データを順に記憶する記憶部と、前記入力部での入力毎に、既に前記記憶部に記憶されている前記データとともに新たに入力された前記データに基づくメロディを、出力する出力手段と、を備えている。
【０００９】
また、本発明の携帯電話機は、着信音として用いるオリジナルメロディの作成が可能な携帯電話機において、前記オリジナルメロディの基となる個々の音符又は休符のデータを順に入力する入力部と、この入力部で入力された前記データを順に記憶する記憶部と、この記憶部に記憶されている前記データのうちの開始対象を設定する設定手段と、前記入力部での入力毎に、既に前記記憶部に記憶され前記設定手段で設定されている開始対象以降の前記データとともに新たに入力された前記データに基づくメロディを、出力する出力手段と、を備えている。
【００１０】
これにより、オリジナルメロディの作成中、入力操作の都度、その音入力キーのデータ、及びそれまでに入力し確定されたデータ列からなるメロディが発せられるため、使用者は途中段階のオリジナルメロディを聞き入れて評価しながら作成が行える。
【００１１】
【発明の実施の形態】
以下に、本発明の実施形態について図面を参照しながら詳述する。図１は本発明の各実施形態に共通の携帯電話機の構成を示すブロック図である。図１に示すように、携帯電話機は、大きくは、アンテナ１、通信部２、通信処理部３、スピーカ４、マイク５、入力部６、設定記憶部７、メロディ記憶部８、制御部９、表示部１０より構成される。
【００１２】
アンテナ１で受信された信号は、通信部２にて復調された後、通信処理部３にて所定の方式でデコードされて、スピーカ４に入力される。スピーカ４は、通信処理部３から入力した電気信号を音声に変換して出力する。この出力に先立ち、通信部２から受信の先頭信号が制御部９に入力され、これを契機にメロディ記憶部８から設定されている着信音のデータ列が抽出され、通信処理部３を経てスピーカ４から着信音が発せられる。他方、マイク５は、入力された音声を電気信号に変換する。マイク５からの電気信号は、通信処理部３にて所定の方式でエンコードされた後、通信部２にて変調されアンテナ１から送信される。
【００１３】
ここで、入力部６は、使用者が携帯電話機に対して様々な命令を入力するためのものであり、特に、オリジナルメロディの基となる音符や休符のデータが割り当てられ、押下入力が可能な音入力キーを複数備える。設定記憶部７は、使用者からの設定に関する命令を記憶するものであり、メロディ記憶部８は、着信音である単純音や流行のメロディ（以下、「内蔵音」と記すことがある）、及び使用者が作成したオリジナルメロディのデータ列を記憶するＲＡＭ等である。また、制御部９は、携帯電話機の動作が入力部６から入力される命令に応じたものとなるように各部の制御を行うものである。表示部１０は、制御部９の下で所定の表示を行うものである。
【００１４】
このような構成の携帯電話機において、先ず、着信音の設定手順について図２を参照しながら説明する。ステップ＃５で、着信音としてオリジナルメロディを用いるか、或いは内蔵音を用いるかの選択キーの入力を待つ。ここで、例えば、オリジナルメロディを設定する場合は“１”のキー、内蔵音の場合は“２”のキーを選択キーとする。“１”のキーが入力された場合、オリジナルメロディのデータ列を抽出して設定し（ステップ＃１０）、待受け状態に移る（ステップ＃２０）。一方“２”のキーが入力された場合、内蔵音のデータ列を設定し（ステップ＃１５）、待受け状態に移り（ステップ＃２０）、着信音の設定が終了する。こうして、オリジナルメロディ又は内蔵音が着信音として択一的に設定され、受信の際の着信音となる。
【００１５】
次に、本発明の特徴であるオリジナルメロディの作成手順について、図面を参照しながら説明する。先ず、本発明の第１実施形態である作成手順は、図３に示すように、オリジナルメロディ作成モードに移行した後、ステップ＃３０で、オリジナルメロディ作成中にスピーカ４を駆動するか否か、すなわちスピーカ４のＯＮ／ＯＦＦが判断される。スピーカ４がＯＮの場合、ステップ＃３５に進み、入力部６のうちの所望する音入力キーが押下入力される。次いで、ステップ＃４０で、その入力前に入力が確定した音（以下、「確定音」と記すことがある）の存否が判断される。ここでいう確定音とは、後述するステップ＃５５で確定されてメロディ記憶部８に順に記憶された音符又は休符のデータに基づく音のことであり、作成最初の段階では当然存在しないものである。
【００１６】
ステップ＃４０で確定音がある場合は、ステップ＃４５に進み、確定音とともに、ステップ３５の当該音入力キーに割り当てられたデータに基づく音が、順にスピーカ４から発せられ、ステップ＃５５に進む。他方、確定音がない場合、すなわち作成最初の場合は、ステップ＃５０に進み、当該音入力キーに割り当てられたデータに基づく音のみが、単独でスピーカ４から発せられ、ステップ＃５５に進む。ステップ＃５５では、スピーカ４から発せられた音、すなわち当該音入力キーの音が使用者により確定されるが、その際、当該音入力キーのデータがメロディ記憶部８に記憶される。続いてステップ＃６０で、オリジナルメロディ作成の終了が判断される。ここで終了の場合はこの手順を終えるが、作成途中の場合はステップ＃３５に戻り、上記の動作が繰り返され、オリジナルメロディとしてのデータ列が構築される。
【００１７】
このように本実施形態では、オリジナルメロディの作成中、入力操作（ステップ＃３５）の都度、その音入力キーのデータ、及びそれまでに入力されてメロディ記憶部８に確定記憶されたデータ列からなる音、すなわち中途のメロディが、スピーカ４から発せられる（ステップ＃４５）ため、使用者は途中段階のオリジナルメロディを聞き入れて評価しながら作成が行える。従って、完成したオリジナルメロディは、使用者の所望するメロディと確実に合致するものとなる。
【００１８】
なお、ステップ＃３０でスピーカ４がＯＦＦの場合は、上記した従来技術の手順と同様であって、ステップ＃７０で音入力キーが押下入力され、ステップ＃７５でそのままその音入力キーの確定がなされ、ステップ＃８０でオリジナルメロディ作成の終了（ステップ＃７０、＃７５を繰り返して継続するか否か）が判断されて、終える。
【００１９】
次に、本発明の第２実施形態であるオリジナルメロディの作成手順について、図４を参照しながら説明する。本第２実施形態の特徴は、第１実施形態の作成手順を変形し、作成の確実性を維持しつつ作成効率を高めるよう図った点にある。なお、図中で図３と同じ機能を果たすステップには同一の符号を付し、第１実施形態と異なる点について特筆する。
【００２０】
ステップ＃４０で確定音がある場合は、ステップ＃４１に進み、当該入力前に確定音について開始点が設定されているか否かが判断される。ここでいう開始点とは、後述するステップ＃４２でスピーカ４から出力される中途メロディの開始対象としてのデータのことであり、ステップ＃５５で確定されてメロディ記憶部８に順に記憶された音符又は休符のデータのうちから、ステップ＃５６で設定されるものである。なお、この開始点は作成初期の段階では当然存在しないものである。
【００２１】
ステップ＃４１で開始点がある場合は、ステップ＃４２に進み、開始点以降の確定音とともに、ステップ３５の当該音入力キーに割り当てられたデータに基づく音が、順にスピーカ４から発せられ、ステップ＃５５に進む。他方、開始点がない場合、すなわち作成初期の場合は、ステップ＃４５に進み、第１実施形態と同様、確定音とともに、当該音入力キーに割り当てられたデータに基づく音が、順にスピーカ４から発せられ、ステップ＃５５に進む。
【００２２】
ステップ＃５５では、第１実施形態と同様、スピーカ４から発せられた音から当該音入力キーの音が使用者により確定され、そのデータがメロディ記憶部８に記憶される。次いで、ステップ＃５６で、メロディ記憶部８に記憶されたデータのうちから、開始対象のデータが開始点として設定される。ここで、使用者が開始点を希望しない場合は、設定しなくてもよい。続いてステップ＃６０で、第１実施形態と同様、オリジナルメロディ作成の終了が判断されて、終了の場合はこの手順を終え、他方作成途中の場合はステップ＃３５に戻り、上記の動作が繰り返される。
【００２３】
このように本実施形態では、オリジナルメロディ作成中、入力操作（ステップ＃３５）の都度、それまでに入力されて確定しメロディ記憶部８に記憶されたデータ列からなる音のうちの開始点以降の音、すなわち中途の後半のメロディが、スピーカ４から発せられる（ステップ＃４２）ため、中途の全体のメロディを発するまでもなく、使用者は途中段階のオリジナルメロディを聞き入れて評価しながら作成が行える。勿論、中途の前半のオリジナルメロディは、作成初期の段階で評価されるため、完成したオリジナルメロディは、使用者の所望するメロディと確実に合致するものとなる。
【００２４】
その他本発明は上記の各実施形態に限定されず、本発明の趣旨を逸脱しない範囲で、種々の変更が可能である。例えば、オリジナルメロディを電子メールの着信音として用いても勿論構わない。また、上記の各実施形態では、オリジナルメロディの作成手順（図３及び図４参照）と着信音の設定手順（図２参照）は、別個独立したものであるが、オリジナルメロディの作成手順を着信音の設定手順のステップ＃１０に連ねて、一連の手順としてもよい。
【００２５】
また、オリジナルメロディの作成手順において、ステップ＃４２、＃４５、又は＃５０で、入力及び確定されたデータ列に基づくメロディをスピーカ４から出力させるのに加え、それらデータ列個々に対応の記号（音符や休符）を順に表示部１０に表示させるようにしてもよい。これにより、聴覚以外に視覚からも評価が行えるため、作成の確実性がより向上する。
【００２６】
【発明の効果】
以上説明した通り、本発明の携帯電話機によれば、オリジナルメロディ作成中の入力操作の都度、その音入力キーのデータ、及びそれまでに入力し確定されたデータ列からなるメロディが発せられるため、使用者は途中段階のオリジナルメロディを聞き入れて評価しながら作成が行える。従って、完成したオリジナルメロディは、使用者の所望するメロディと確実に合致するものとなる。
【図面の簡単な説明】
【図１】本発明の各実施形態に共通の携帯電話機の構成を示すブロック図である。
【図２】着信音の設定手順を示すフローチャートである。
【図３】本発明の第１実施形態におけるオリジナルメロディの作成手順を示すフローチャートである。
【図４】本発明の第２実施形態におけるオリジナルメロディの作成手順を示すフローチャートである。
【符号の説明】
１    アンテナ
２    通信部
３    通信処理部
４    スピーカ
５    マイク
６    入力部
７    設定記憶部
８    メロディ記憶部
９    制御部
１０    表示部
【図１】
2004166095.tif 000003
【図２】
2004166095.tif 000004
【図３】
2004166095.tif 000005
【図４】
2004166095.tif 000006